(57)【要約】【課題】ブザー音による防犯効果が得られるとともに、防犯管理センターシステム側では画像及び／又は音声から非常事態を的確に判断することができ、さらにその画像及び／又は音声から警察への情報提供を被害者に加え犯人に関わるものとする。【解決手段】防犯装置１００のカメラ１０６及びマイク１０８により、周囲の画像と周囲の音声とが取り込まれて送信されるように制御されるとともに、防犯スイッチ１０９が操作されると、スピーカ１０７からブザー音が発生されるようにし、防犯管理センターシステム２００側では、センター側サーバ２０１が防犯装置１００からの少なくとも画像及び／又は音声のデータを受け取ると、その画像及び／又は音声がモニター２０２によってモニター出力され、ブザー音を発生させる際の操作が有ったことを示す信号に基づき、画像及び／又は音声が情報記憶部２０３に記憶されるようにした。【選択図】図１
2007188406.tif 000002
【特許請求の範囲】
【請求項１】
ネットワークを介して防犯管理を行う防犯システムであって、
利用者が携帯する防犯装置と、
この防犯装置に前記ネットワークを介して接続される防犯管理センターシステムとを備え、
前記防犯装置は、
周囲の画像を取り込む画像取得手段と、
周囲の音声を取り込む音声取得手段と、
少なくともブザー音を発生する音発生手段と、
前記ブザー音を発生させる際に操作される操作手段と、
前記画像取得手段及び／又は前記音声取得手段によって取得される画像及び／又は音声が前記防犯管理センターシステムに送信されるように制御し、前記操作手段による操作に応じて前記音発生手段からブザー音が発生されるように制御し、さらに前記操作手段による操作が有ったことを示す信号が前記防犯管理センターシステムに送信されるように制御する制御手段とを有し、
前記防犯管理センターシステムは、
前記防犯装置からの少なくとも画像及び／又は音声のデータを受け取るセンター側サーバと、
前記画像及び／又は音声をモニター出力するモニター手段と、
前記操作手段による操作が有ったことを示す信号に基づき、前記画像及び／又は音声を記憶するシステム記憶手段とを有する
ことを特徴とする防犯システム。
【請求項２】
前記防犯装置は、衛星からのＧＰＳ信号を受け取るＧＰＳ信号受信手段を有し、
前記制御手段は、前記防犯管理センターシステムに送信される前記画像及び／又は音声に、前記ＧＰＳ信号受信手段によって得られる現在位置の情報を付加するように制御し、
前記センター側サーバは、
前記現在位置の情報から現在位置を判別する現在位置判別制御手段と、
前記操作手段による操作が有ったことを示す信号から防犯操作を検知する防犯操作検知手段と、
この防犯操作検知手段によって防犯操作が検知されると、前記画像及び／又は音声と前記現在位置判別制御手段によって判別された現在位置とを優先的にモニター出力させるシステム制御手段とを有する
ことを特徴とする請求項１に記載の防犯システム。
【請求項３】
前記防犯装置は、装置ＩＤを記憶する記憶手段を有し、
前記制御手段は、前記防犯管理センターシステムに送信される前記画像及び／又は音声に、前記記憶手段に記憶されている装置ＩＤを付加するように制御し、
前記システム記憶手段には、前記装置ＩＤに対応させた個人情報が記憶され、
前記センター側サーバは、
前記システム記憶手段に記憶されている前記個人情報を前記装置ＩＤを基に判別する個人情報判別手段を有し、
前記操作手段による操作が有ったことを示す信号に基づき、前記個人情報が前記画像及び／又は音声と併せてモニター出力される
ことを特徴とする請求項１又は２に記載の防犯システム。
【請求項４】
前記システム記憶手段には、前記防犯装置を利用する利用者のルート情報と前記利用者に関わる人物の連絡先情報とが記憶され、
前記現在位置判別制御手段は、前記現在位置の情報から判別した現在位置と前記ルート情報とを比較し、現在位置がそのルート情報から所定距離外れているか否かを判別し、
前記システム制御手段は、前記現在位置判別制御手段によって前記現在位置がそのルート情報から所定距離外れていると判別されると、前記連絡先情報を基に通知を出すように制御する
ことを特徴とする請求項２又は３に記載の防犯システム。
【請求項５】
前記センター側サーバは、前記ブザー音を停止させるための停止信号を発生する停止信号発生手段を有し、
前記制御手段は、前記センター側サーバからの停止信号を受け取ると、前記音発生手段からのブザー音の発生を停止させるように制御する
ことを特徴とする請求項１〜４のいずれかに記載の防犯システム。
【請求項６】
利用者が携帯する防犯装置とこの防犯装置にネットワークを介して接続される防犯管理センターシステムとにより防犯管理を行う防犯方法であって、
前記防犯装置は、
周囲の画像を取り込むステップと、
周囲の音声を取り込むステップと、
少なくともブザー音を発生するステップと、
前記ブザー音を発生させる際の操作を受け付けるステップと、
取り込まれた前記画像及び／又は音声が前記防犯管理センターシステムに送信されるように制御し、前記操作に応じて前記ブザー音を発生させるように制御し、さらに前記操作が有ったことを示す信号が前記防犯管理センターシステムに送信されるように制御するステップとを有し、
前記防犯管理センターシステムは、
前記防犯装置からの少なくとも画像及び／又は音声のデータを受け取るステップと、
前記画像及び／又は音声をモニター出力するステップと、
前記操作が有ったことを示す信号に基づき、前記画像及び／又は音声を記憶するステップとを有する
ことを特徴とする防犯方法。
【請求項７】
前記防犯装置は、衛星からのＧＰＳ信号を受け取るステップと、
前記防犯管理センターシステムに送信される前記画像及び／又は音声に、前記ＧＰＳ信号によって得られる現在位置の情報を付加するように制御するステップとを有し、
前記防犯管理センターシステムは、
前記現在位置の情報から現在位置を判別するステップと、
前記操作が有ったことを示す信号から防犯操作を検知するステップと、
前記防犯操作が検知されると、前記画像及び／又は音声と前記判別された現在位置とを優先的にモニター出力させるステップとを有する
ことを特徴とする請求項６に記載の防犯方法。
【請求項８】
前記防犯装置は、
装置ＩＤを記憶するステップと、
前記防犯管理センターシステムに送信される前記画像及び／又は音声に、前記記憶されている装置ＩＤを付加するように制御するステップとを有し、
前記防犯管理センターシステムは、
前記装置ＩＤに対応させた個人情報が記憶されるステップと、
前記記憶されている前記個人情報を前記装置ＩＤを基に判別するステップと、
前記操作が有ったことを示す信号に基づき、前記個人情報が前記画像及び／又は音声と併せてモニター出力されるステップとを有する
ことを特徴とする請求項６又は７に記載の防犯方法。
【請求項９】
前記防犯管理センターシステムは、
前記防犯装置を利用する利用者のルート情報と前記利用者に関わる人物の連絡先情報とが記憶されるステップと、
前記現在位置の情報から判別した現在位置と前記ルート情報とを比較し、現在位置がそのルート情報から所定距離外れているか否かを判別するステップと、
前記現在位置がそのルート情報から所定距離外れていると判別されると、前記連絡先情報を基に通知を出すように制御するステップとを有する
ことを特徴とする請求項７又は８に記載の防犯方法。
【請求項１０】
前記防犯管理センターシステムは、前記ブザー音を停止させるための停止信号を発生するステップを有し、
前記防犯装置は、前記停止信号を受け取ると、前記ブザー音の発生を停止させるように制御するステップを有する
ことを特徴とする請求項６〜９のいずれかに記載の防犯方法。
【請求項１１】
利用者が携帯する防犯装置とこの防犯装置にネットワークを介して接続される防犯管理センターシステムとにより防犯管理を行う防犯方法を実行するためのステップを示す防犯プログラムであって、
前記防犯装置は、
周囲の画像を取り込むステップと、
周囲の音声を取り込むステップと、
少なくともブザー音を発生するステップと、
前記ブザー音を発生させる際の操作を受け付けるステップと、
取り込まれた前記画像及び／又は音声が前記防犯管理センターシステムに送信されるように制御し、前記操作に応じて前記ブザー音を発生させるように制御し、さらに前記操作が有ったことを示す信号が前記防犯管理センターシステムに送信されるように制御するステップとを有し、
前記防犯管理センターシステムは、
前記防犯装置からの少なくとも画像及び／又は音声のデータを受け取るステップと、
前記画像及び／又は音声をモニター出力するステップと、
前記操作が有ったことを示す信号に基づき、前記画像及び／又は音声を記憶するステップとを有する
ことを特徴とする防犯プログラム。
【請求項１２】
前記防犯装置は、衛星からのＧＰＳ信号を受け取るステップと、
前記防犯管理センターシステムに送信される前記画像及び／又は音声に、前記ＧＰＳ信号によって得られる現在位置の情報を付加するように制御するステップとを有し、
前記防犯管理センターシステムは、
前記現在位置の情報から現在位置を判別するステップと、
前記操作が有ったことを示す信号から防犯操作を検知するステップと、
前記防犯操作が検知されると、前記画像及び／又は音声と前記判別された現在位置とを優先的にモニター出力させるステップとを有する
ことを特徴とする請求項１１に記載の防犯プログラム。
【請求項１３】
前記防犯装置は、
装置ＩＤを記憶するステップと、
前記防犯管理センターシステムに送信される前記画像及び／又は音声に、前記記憶されている装置ＩＤを付加するように制御するステップとを有し、
前記防犯管理センターシステムは、
前記装置ＩＤに対応させた個人情報が記憶されるステップと、
前記記憶されている前記個人情報を前記装置ＩＤを基に判別するステップと、
前記操作が有ったことを示す信号に基づき、前記個人情報が前記画像及び／又は音声と併せてモニター出力されるステップとを有する
ことを特徴とする請求項１１又は１２に記載の防犯プログラム。
【請求項１４】
前記防犯管理センターシステムは、
前記防犯装置を利用する利用者のルート情報と前記利用者に関わる人物の連絡先情報とが記憶されるステップと、
前記現在位置の情報から判別した現在位置と前記ルート情報とを比較し、現在位置がそのルート情報から所定距離外れているか否かを判別するステップと、
前記現在位置がそのルート情報から所定距離外れていると判別されると、前記連絡先情報を基に通知を出すように制御するステップとを有する
ことを特徴とする請求項１２又は１３に記載の防犯プログラム。
【請求項１５】
前記防犯管理センターシステムは、前記ブザー音を停止させるための停止信号を発生するステップを有し、
前記防犯装置は、前記停止信号を受け取ると、前記ブザー音の発生を停止させるように制御するステップを有する
ことを特徴とする請求項１１〜１４のいずれかに記載の防犯プログラム。
【発明の詳細な説明】
【技術分野】
【０００１】
本発明は、防犯に適した防犯システム、防犯方法及び防犯プログラムに関する。
【背景技術】
【０００２】
近年、子供や女性、社会要人をターゲットにした誘拐や暴行などといった犯罪が増加傾向にあり、社会問題となっている。誘拐の場合は、営利目的の小児誘拐が飛躍的に増加していたが、最近では異常者による犯罪が目立つようになっている。
【０００３】
このような、誘拐や暴行などの非常事態に遭遇した際の対応策としては、大きな音を発して犯人に対し威嚇する防犯ブザーを用いたり、携帯電話端末やＰＨＳ（Ｐｅｒｓｏｎａｌ  ＨａｎｄｙＰｈｏｎｅ  Ｓｙｓｔｅｍ）端末を用いて知人や家族に連絡をとるなどといったことが行われている。
【０００４】
ところが、携帯電話端末やＰＨＳ端末を用いて連絡・通報する場合は、発信先の電話番号をダイヤルするために複数のボタン操作を行う必要があるが、複数のボタン操作を行う時間的な余裕がなかったり、操作できる状況になかったりする場合がある。
【０００５】
特に、子供の場合は、緊急時にパニックにおちいり、複雑なボタン操作を行うことは極めて困難になるものと予測される。また、防犯ブザーを用いる場合には、犯人が発した音に逆上して却って危ない目にあったり、防犯ブザーを犯人に取り上げられたりすることがあり、大きな音を発しても周囲に誰もいなければ助けを求めることができないことも容易に予測される。
【０００６】
よって、効果的な防犯を行うためには、被害者が非常事態に遭遇していることを、犯人に悟られることなく、即座に第三者へ知らせるとともに、非常事態に遭遇している自分の所在地を探知してもらうようなことが重要となってくる。
【０００７】
ここで、自分の所在地を探知してもらうシステムとしては、たとえば、常時電波を発信する端末装置をシステムの利用者に持たせておき、ＧＰＳ（ＧｌｏｂａｌＰｏｓｉｔｉｏｎｉｎｇ  Ｓｙｓｔｅｍ）及び携帯電話のネットワークを利用して、その利用者の現在の居場所を検知するものがある。
【０００８】
端末装置を所有している利用者の居場所は、常に管理センターにて監視されており、利用者の保護者や関係者が望むときには、いつでも、電話やインターネットを利用して管理センターに問い合わせることで、利用者の居場所を知ることが可能となっている。しかし、このシステムは、単に端末装置を所有している利用者の居場所を確認するのみに留まっているものであるので、利用者が安全な状態にあるのか、又は非常事態に遭遇して危険な目に会っているのかの判断がつかなかった。
【０００９】
すなわち、確認した利用者の居場所が保護者などの家の近くであったからと安心していたら、実は利用者が非常事態に遭遇していたということも考えられ、さらに、犯人が利用者を連れ去る際に端末装置を家の近くに捨てていってしまえば、このシステムは役に立たなくなってしまう。また、利用者が非常事態に遭遇していそうな感じがしても、当該システムでは居場所の確認までしかできないので、警察への出動依頼をためらってしまうことがある。
【００１０】
また、自分の所在地を探知してもらうシステムとしては、スキーや登山などといった、遭難などの非常事態に遭遇する可能性がある場合に、電波を発する発信器を衣服に埋め込んでおき、予め届け出た日時を過ぎても戻ってこないなど、いざというときにＧＰＳを利用して発信器の位置を探索するものもある。しかし、このシステムは、予め届け出た日時が過ぎてから探索を開始するので、非常事態が発生してから探索を開始するまでに時間を要してしまう。
【００１１】
また、自分の所在地を探知してもらうシステムとして、警察や探偵などが用いる業務用に開発された高精度の発信機及び探索装置や、カーナビゲーションのような衛星を利用したＧＰＳを用いるものがあるが、これらは一般向けの機器ではなく、設備も大掛かりとなるため高額であり、携帯するにも適していない。
【００１２】
このような不具合を解消するようにしたものとして、特許文献１では、利用者が、必要時に自己の所有する発信器に対して所定の操作をすると、その発信器が、固有の識別データを含む非常信号をセンターへ発信し、非常信号を受信したセンターは、非常信号に含まれる識別データに基づいて発信器の所在地を探知するとともに、利用者の保護者・関係者に対して、利用者の発信器から非常信号が発信された旨を送信するようにしたセキュリティシステムを提案している。
【特許文献１】特開２００３−１１５０９０号公報
【発明の開示】
【発明が解決しようとする課題】
【００１３】
このように、上述した特許文献１では、発信器からの固有の識別データを含む非常信号をセンターへ発信し、非常信号を受信したセンターは、非常信号に含まれる識別データに基づいて発信器の所在地を探知するとともに、利用者の保護者・関係者に対して、利用者の発信器から非常信号が発信された旨を送信するようにしているので、自分の非常事態を即座に第三者へ知らせると同時に、その位置情報も探知可能となる。
【００１４】
ところが、このような技術では、発信器からの固有の識別データを含む非常信号を受信することで、非常事態を把握するものであるため、発信器を誤って操作してしまい、非常信号がセンターに送信されてしまうと、非常事態でないにも関わらず非常事態であると判断されてしまうという問題があった。
【００１５】
また、このような技術では、非常信号に基づき、非常事態を把握するものであるため、センター側では犯人に関わる音声あるいはビデオ画像等の情報を取得することができず、警察への情報提供が被害者に関わるものに限定されてしまうという問題があった。
【００１６】
本発明は、このような状況に鑑みてなされたものであり、上記問題点を解決することができる防犯システム、防犯方法及び防犯プログラムを提供することを目的とする。
【課題を解決するための手段】
【００１７】
本発明の防犯装置は、ネットワークを介して防犯管理を行う防犯システムであって、利用者が携帯する防犯装置と、この防犯装置に前記ネットワークを介して接続される防犯管理センターシステムとを備え、前記防犯装置は、周囲の画像を取り込む画像取得手段と、周囲の音声を取り込む音声取得手段と、少なくともブザー音を発生する音発生手段と、前記ブザー音を発生させる際に操作される操作手段と、前記画像取得手段及び／又は前記音声取得手段によって取得される画像及び／又は音声が前記防犯管理センターシステムに送信されるように制御し、前記操作手段による操作に応じて前記音発生手段からブザー音が発生されるように制御し、さらに前記操作手段による操作が有ったことを示す信号が前記防犯管理センターシステムに送信されるように制御する制御手段とを有し、前記防犯管理センターシステムは、前記防犯装置からの少なくとも画像及び／又は音声のデータを受け取るセンター側サーバと、前記画像及び／又は音声をモニター出力するモニター手段と、前記操作手段による操作が有ったことを示す信号に基づき、前記画像及び／又は音声を記憶するシステム記憶手段とを有することを特徴とする。
また、前記防犯装置は、衛星からのＧＰＳ信号を受け取るＧＰＳ信号受信手段を有し、前記制御手段は、前記防犯管理センターシステムに送信される前記画像及び／又は音声に、前記ＧＰＳ信号受信手段によって得られる現在位置の情報を付加するように制御し、前記センター側サーバは、前記現在位置の情報から現在位置を判別する現在位置判別制御手段と、前記操作手段による操作が有ったことを示す信号から防犯操作を検知する防犯操作検知手段と、この防犯操作検知手段によって防犯操作が検知されると、前記画像及び／又は音声と前記現在位置判別制御手段によって判別された現在位置とを優先的にモニター出力させるシステム制御手段とを有するようにすることができる。
また、前記防犯装置は、装置ＩＤを記憶する記憶手段を有し、前記制御手段は、前記防犯管理センターシステムに送信される前記画像及び／又は音声に、前記記憶手段に記憶されている装置ＩＤを付加するように制御し、前記システム記憶手段には、前記装置ＩＤに対応させた個人情報が記憶され、前記センター側サーバは、前記システム記憶手段に記憶されている前記個人情報を前記装置ＩＤを基に判別する個人情報判別手段を有し、前記操作手段による操作が有ったことを示す信号に基づき、前記個人情報が前記画像及び／又は音声と併せてモニター出力されるようにすることができる。
また、前記システム記憶手段には、前記防犯装置を利用する利用者のルート情報と前記利用者に関わる人物の連絡先情報とが記憶され、前記現在位置判別制御手段は、前記現在位置の情報から判別した現在位置と前記ルート情報とを比較し、現在位置がそのルート情報から所定距離外れているか否かを判別し、前記システム制御手段は、前記現在位置判別制御手段によって前記現在位置がそのルート情報から所定距離外れていると判別されると、前記連絡先情報を基に通知を出すように制御するようにすることができる。
また、前記センター側サーバは、前記ブザー音を停止させるための停止信号を発生する停止信号発生手段を有し、前記制御手段は、前記センター側サーバからの停止信号を受け取ると、前記音発生手段からのブザー音の発生を停止させるように制御するようにすることができる。
本発明の防犯方法は、利用者が携帯する防犯装置とこの防犯装置にネットワークを介して接続される防犯管理センターシステムとにより防犯管理を行う防犯方法であって、前記防犯装置は、周囲の画像を取り込むステップと、周囲の音声を取り込むステップと、少なくともブザー音を発生するステップと、前記ブザー音を発生させる際の操作を受け付けるステップと、取り込まれた前記画像及び／又は音声が前記防犯管理センターシステムに送信されるように制御し、前記操作に応じて前記ブザー音を発生させるように制御し、さらに前記操作が有ったことを示す信号が前記防犯管理センターシステムに送信されるように制御するステップとを有し、前記防犯管理センターシステムは、前記防犯装置からの少なくとも画像及び／又は音声のデータを受け取るステップと、前記画像及び／又は音声をモニター出力するステップと、前記操作が有ったことを示す信号に基づき、前記画像及び／又は音声を記憶するステップとを有することを特徴とする。
また、前記防犯装置は、衛星からのＧＰＳ信号を受け取るステップと、前記防犯管理センターシステムに送信される前記画像及び／又は音声に、前記ＧＰＳ信号によって得られる現在位置の情報を付加するように制御するステップとを有し、前記防犯管理センターシステムは、前記現在位置の情報から現在位置を判別するステップと、前記操作が有ったことを示す信号から防犯操作を検知するステップと、前記防犯操作が検知されると、前記画像及び／又は音声と前記判別された現在位置とを優先的にモニター出力させるステップとを有するようにすることができる。
また、前記防犯装置は、装置ＩＤを記憶するステップと、前記防犯管理センターシステムに送信される前記画像及び／又は音声に、前記記憶されている装置ＩＤを付加するように制御するステップとを有し、前記防犯管理センターシステムは、前記装置ＩＤに対応させた個人情報が記憶されるステップと、前記記憶されている前記個人情報を前記装置ＩＤを基に判別するステップと、前記操作が有ったことを示す信号に基づき、前記個人情報が前記画像及び／又は音声と併せてモニター出力されるステップとを有するようにすることができる。
また、前記防犯管理センターシステムは、前記防犯装置を利用する利用者のルート情報と前記利用者に関わる人物の連絡先情報とが記憶されるステップと、前記現在位置の情報から判別した現在位置と前記ルート情報とを比較し、現在位置がそのルート情報から所定距離外れているか否かを判別するステップと、前記現在位置がそのルート情報から所定距離外れていると判別されると、前記連絡先情報を基に通知を出すように制御するステップとを有するようにすることができる。
また、前記防犯管理センターシステムは、前記ブザー音を停止させるための停止信号を発生するステップを有し、前記防犯装置は、前記停止信号を受け取ると、前記ブザー音の発生を停止させるように制御するステップを有するようにすることができる。
本発明の防犯プログラムは、利用者が携帯する防犯装置とこの防犯装置にネットワークを介して接続される防犯管理センターシステムとにより防犯管理を行う防犯方法を実行するためのステップを示す防犯プログラムであって、前記防犯装置は、周囲の画像を取り込むステップと、周囲の音声を取り込むステップと、少なくともブザー音を発生するステップと、前記ブザー音を発生させる際の操作を受け付けるステップと、取り込まれた前記画像及び／又は音声が前記防犯管理センターシステムに送信されるように制御し、前記操作に応じて前記ブザー音を発生させるように制御し、さらに前記操作が有ったことを示す信号が前記防犯管理センターシステムに送信されるように制御するステップとを有し、前記防犯管理センターシステムは、前記防犯装置からの少なくとも画像及び／又は音声のデータを受け取るステップと、前記画像及び／又は音声をモニター出力するステップと、前記操作が有ったことを示す信号に基づき、前記画像及び／又は音声を記憶するステップとを有することを特徴とする。
また、前記防犯装置は、衛星からのＧＰＳ信号を受け取るステップと、前記防犯管理センターシステムに送信される前記画像及び／又は音声に、前記ＧＰＳ信号によって得られる現在位置の情報を付加するように制御するステップとを有し、前記防犯管理センターシステムは、前記現在位置の情報から現在位置を判別するステップと、前記操作が有ったことを示す信号から防犯操作を検知するステップと、前記防犯操作が検知されると、前記画像及び／又は音声と前記判別された現在位置とを優先的にモニター出力させるステップとを有するようにすることができる。
また、前記防犯装置は、装置ＩＤを記憶するステップと、前記防犯管理センターシステムに送信される前記画像及び／又は音声に、前記記憶されている装置ＩＤを付加するように制御するステップとを有し、前記防犯管理センターシステムは、前記装置ＩＤに対応させた個人情報が記憶されるステップと、前記記憶されている前記個人情報を前記装置ＩＤを基に判別するステップと、前記操作が有ったことを示す信号に基づき、前記個人情報が前記画像及び／又は音声と併せてモニター出力されるステップとを有するようにすることができる。
また、前記防犯管理センターシステムは、前記防犯装置を利用する利用者のルート情報と前記利用者に関わる人物の連絡先情報とが記憶されるステップと、前記現在位置の情報から判別した現在位置と前記ルート情報とを比較し、現在位置がそのルート情報から所定距離外れているか否かを判別するステップと、前記現在位置がそのルート情報から所定距離外れていると判別されると、前記連絡先情報を基に通知を出すように制御するステップとを有するようにすることができる。
また、前記防犯管理センターシステムは、前記ブザー音を停止させるための停止信号を発生するステップを有し、前記防犯装置は、前記停止信号を受け取ると、前記ブザー音の発生を停止させるように制御するステップを有するようにすることができる。
本発明の防犯システム、防犯方法及び防犯プログラムでは、防犯装置側で周囲の画像と周囲の音声とが取り込まれ、取り込まれた画像及び／又は音声が防犯管理センターシステムに送信されるように制御されるとともに、ブザー音を発生させる際の操作を受け付けると、その操作に応じてブザー音が発生され、防犯管理センターシステム側では防犯装置からの少なくとも画像及び／又は音声のデータを受け取ると、その画像及び／又は音声がモニター出力され、ブザー音を発生させる際の操作が有ったことを示す信号に基づき、画像及び／又は音声が記憶される。
【発明の効果】
【００１８】
本発明の防犯システム、防犯方法及び防犯プログラムによれば、防犯装置側で周囲の画像と周囲の音声とが取り込まれ、取り込まれた画像及び／又は音声が防犯管理センターシステムに送信されるように制御されるとともに、ブザー音を発生させる際の操作を受け付けると、その操作に応じてブザー音が発生され、防犯管理センターシステム側では防犯装置からの少なくとも画像及び／又は音声のデータを受け取ると、その画像及び／又は音声がモニター手段によってモニター出力され、ブザー音を発生させる際の操作が有ったことを示す信号に基づき、画像及び／又は音声がシステム記憶手段に記憶されるので、防犯装置側ではブザー音による防犯効果が得られるとともに、防犯管理センターシステム側では画像及び／又は音声のモニター出力から非常事態を的確に判断することができ、さらに記憶させた画像及び／又は音声を警察への情報提供としても用いることで、被害者に加え犯人に関わる情報を提供することができる。
【発明を実施するための最良の形態】
【００１９】
本実施形態では、防犯装置側で、画像取得手段及び音声取得手段により、周囲の画像と周囲の音声とが取り込まれると、制御手段により、取り込まれた画像及び／又は音声が防犯管理センターシステムに送信されるように制御されるとともに、操作手段によりブザー音を発生させる操作が行われると、制御手段により、音発生手段からブザー音が発生され、防犯管理センターシステム側では、センター側サーバが防犯装置からの少なくとも画像及び／又は音声のデータを受け取ると、その画像及び／又は音声がモニター手段によってモニター出力され、ブザー音を発生させる際の操作が有ったことを示す信号に基づき、画像及び／又は音声がシステム記憶手段に記憶されるようにすることで、防犯装置側ではブザー音による防犯効果が得られるようにし、防犯管理センターシステム側では画像及び／又は音声のモニター出力から非常事態を的確に判断し、さらに記憶させた画像及び／又は音声を警察への情報提供としても用いることで、被害者に加え犯人に関わる情報を提供することができるようにした。
【実施例】
【００２０】
以下、本発明の実施例の詳細について説明する。図１は、本発明の防犯システムの一実施例に係る概要を説明するための図である。
【００２１】
図１に示す防犯システムは、携帯用の防犯装置１００と防犯管理センターシステム２００とがインターネット、専用回線等のネットワーク３００を介して相互に通信できる構成となっている。
【００２２】
防犯管理センターシステム２００は、センター側サーバ２０１、モニター２０２、センター内オペレータ端末２０２、情報記憶部２０３を有している。
【００２３】
センター側サーバ２０１は、各防犯装置１００からの画像及び／又は音声、各防犯装置１００の位置情報、各防犯装置１００の装置ＩＤ、各防犯装置１００の後述の防犯スイッチ１０９の操作が有ったことを示す信号を受け取るとともに、各防犯装置１００へ音声信号、ブザー音の停止信号を送信するものであるが、その詳細については後述する。
【００２４】
モニター２０２は、各防犯装置１００からの画像及び／又は音声を出力する。センター内オペレータ端末２０２は、情報記憶部２０３への装置ＩＤに対応させた個人情報の入力等を行う際に操作されるものである。
【００２５】
情報記憶部２０３には、装置ＩＤに対応させた防犯装置１００を利用する利用者の個人情報や各防犯装置１００からの画像及び／又は音声が記憶されるようになっている。なお、画像及び／又は音声の記憶においては、後述の防犯スイッチ１０９の操作が有ったことを示す信号を受け取ったときに、その装置ＩＤに対応したものとなっていが、その詳細については後述する。
【００２６】
また、情報記憶部２０３には、防犯装置１００を利用する利用者のルート情報が防犯装置１００の装置ＩＤに対応させて記憶されるようになっている。このルート情報は、たとえば防犯装置１００を利用する利用者が児童である場合を想定したものであり、後述の図４に示す現在位置判別制御部２１７によって現在位置がそのルート情報から所定距離（たとえば１ｋｍ）外れていると判別された場合、たとえば親元に連絡することに用いることが可能となる。
【００２７】
この場合、ルート情報は、防犯装置１００の利用開始日、あるいは親元と防犯管理センター側との話し合いで決められた日時に、児童に通学路を移動してもらい、そのときに防犯装置１００から送信される時間的変化に応じた位置情報とし、情報記憶部２０３に記憶しておけばよい。
【００２８】
また、この場合、情報記憶部２０３には、防犯装置１００を利用する児童の父兄の図示しない携帯電話等のメールアドレス等の連絡先情報が記憶されているようにし、現在位置判別制御部２１７によって現在位置がそのルート情報から所定距離（たとえば１ｋｍ）外れていると判別された場合、そのメールアドレスを送信先としたたとえば親元に簡単なメッセージ（たとえば、「通学路から離れました」）を通知することに用いることが可能となる。
【００２９】
これにより、父兄は、児童が図示しない携帯電話を携帯している場合に、直接、児童の携帯電話を呼び出すことができ、児童の安全を確認することが可能となる。なお、ルート情報としては、児童の通学路に限らず、友人宅との間の情報、あるいは塾との間の情報としてもよい。また、ルート情報としては、児童の通学路に限らず、老人等が普段利用する道の情報としてもよい。
【００３０】
図２は、防犯装置１００を説明するための図であり、たとえば装置本体１０１の頂部に紐１０２を係止する係止具１０３が設けられている。紐１０２は、たとえば首にかけられる程度の長さであればよい。また、紐１０２は、長さが調節できるようになっていてもよい。なお、防犯装置１００は、紐１０２をたとえば首にかけるようにずる場合に限らず、たとえば子供の服やランドセル等に取り付けられるようにしてもよい。
【００３１】
係止具１０３の近傍には、送受信アンテナ１０４が設けられている。送受信アンテナ１０４は、伸縮自在のものであってもよいし、伸縮しないものであってもよい。また、送受信アンテナ１０４は、内蔵型であってもよい。なお、この送受信アンテナ１０４により、たとえば携帯電話の通信キャリアを介し、図示しない防犯管理センターとの間で音声及び画像（動画又は静止画）の信号がやり取りされるようになっている。
【００３２】
装置本体１０１の表面側には、ＧＰＳアンテナ１０５、カメラ１０６、スピーカ１０７、マイク１０８が設けられている。ＧＰＳアンテナ１０５は、衛星からのＧＰＳ信号を受け取る。カメラ１０６は、たとえば広角レンズを有し、周囲の画像を取り込む。スピーカ１０７は、後述の防犯スイッチ１０９が操作されると、大音量のブザー音を発する。また、スピーカ１０７により、図示しない防犯管理センターからの音声が発せられるようになっている。
【００３３】
また、装置本体１０１のたとえば右側面には、防犯スイッチ１０９が設けられている。この防犯スイッチ１０９を押すことで、スピーカ１０７から大音量のブザー音が発せられるようになっている。
【００３４】
なお、防犯スイッチ１０９の代わりに、上述した係止具１０３が装置本体１０１に対し着脱自在に取り付けられるようにしておき、係止具１０３が装置本体１０１から外れた場合にスピーカ１０７から大音量のブザー音が発せられるようにしておくようにすることもできる。
【００３５】
図３は、防犯装置１００の制御系の詳細を説明するためのブロック図である。同図に示すように、制御系１２０は、送受信部１２１、ＧＰＳ受信部１２２、カメラ駆動部１２３、スピーカ駆動部１２４、マイク駆動部１２５、移動判別部１２６、向き判別部１２７、スイッチオン検知部１２８、メモリ１２９、バッテリ１３０、画像処理部１３１、音声処理部１３２、制御部１３３を有している。
【００３６】
送受信部１２１は、送受信アンテナ１０４を介し、上述したように、たとえば携帯電話の通信キャリアを通して図示しない防犯管理センターとの間で音声及び画像（静止画又は動画）の信号のやり取りを行うものである。
【００３７】
ＧＰＳ受信部１２２は、ＧＰＳアンテナ１０５を介して衛星からのＧＰＳ信号を受信する。ここで、ＧＰＳ信号には、衛星からの位置情報を示す位置情報データが含まれており、そのデータから現在位置が判別されるようになっている。
【００３８】
カメラ駆動部１２３は、制御部１３３の制御により、カメラ１０６を駆動させる。スピーカ駆動部１２４は、制御部１３３の制御により、スピーカ１０７を駆動させる。マイク駆動部１２５は、制御部１３３の制御により、マイクを駆動させる。
【００３９】
移動判別部１２６は、装置本体１０１に内蔵されている移動検知センサ１１０からの検知信号を基に、装置本体１０１の移動を判別する。なお、移動判別部１２６による装置本体１０１の移動の判別は、移動検知センサ１１０からの検知信号が所定時間以上継続したときとすることができる。
【００４０】
これは、防犯装置１００のバッテリ１３０の電力消費を有効に行わせるためであり、移動判別部１２６による判別結果に応じてバッテリ１３０からの電力を使用することで、バッテリ１３０の無駄な電力消費を抑えることができる。なお、移動検知センサ１１０としては、光学的な方式あるいは機械的な方式のいずれかを採用することができる。
【００４１】
向き判別部１２７は、装置本体１０１に内蔵されている向き検知センサ１１１からの検知信号に応じて装置本体１０１の向きである、特にカメラ１０６の向きを判別する。すなわち、装置本体１０１は、上述したように、たとえば紐１０２を介して首にぶら下げられるようになるため、移動中等にカメラ１０６の向きが体側に向けられてしまい、周囲の画像を撮影できなくなってしまうことがあり、これを判別するものである。
【００４２】
よって、向き判別部１２７によって装置本体１０１の向きが適切でないと判別されると、スピーカ１０７から警告音が発せられるようになっている。なお、向き検知センサ１１１としては、光学的な方式あるいは機械的な方式のいずれかを採用することができる。
【００４３】
スイッチオン検知部１２８は、防犯スイッチ１０９が操作されたことを検知するものである。スイッチオン検知部１２８により、防犯スイッチ１０９の操作が検知されると、スピーカ１０７から大音量のブザー音が発せられる。なお、上述したように、防犯スイッチ１０９の代わりに、係止具１０３が装置本体１０１に対し着脱自在に取り付けられている場合は、係止具１０３が装置本体１０１から外れたとき、スイッチオン検知部１２８により防犯操作が行われたことが検知され、同様に、スピーカ１０７から大音量のブザー音が発せられるようにすることもできる。
【００４４】
メモリ１２９には、少なくとも防犯装置１００の固有情報である装置ＩＤが記憶されている。この装置ＩＤは画像処理部１３１及び／又は音声処理部１３２によって処理された画像及び／又は音声の信号等が防犯管理センターに送信される際、その信号等に付加されるものである。これにより、防犯管理センター側では、装置ＩＤに対応させた防犯装置１００の使用者に関する個人情報を予め保持していることで、その信号等に含まれる装置ＩＤを基に、防犯装置１００を特定することが可能となる。
【００４５】
バッテリ１３０は、各部の動作に必要な電力を供給する電力源であり、充電可能なニッケル電池等で構成されているものである。画像処理部１３１は、カメラ駆動部１２３を介して得られるカメラ１０６からの画像を処理するものである。すなわち、たとえば防犯装置１００から防犯管理センターに送信される形式がパケット方式である場合は、パケットデータの様式に合うように処理される。
【００４６】
この場合、処理される画像は動画であってもよいし、静止画であってもよい。ただし静止画の場合は、周囲の状況変化が分かるように、数秒毎の間欠画像であることが好ましい。ちなみに、動画に比べて静止画の方が送信すべきデータ量が少なくされるため、画像処理部１３１による処理能力が低いものであってもよく、コスト低減を図れるばかりか、バッテリ１３０の電力消費が少なくされるという利点がある。
【００４７】
ただし、コスト面やバッテリ１３０の電力消費を考慮しなくてもよい場合は、画像処理部１３１によって処理される画像を動画とした方が周囲の状況をより的確に防犯管理センターに伝えることが可能となり、好ましい。
【００４８】
音声処理部１３２は、マイク駆動部１２５を介して得られるマイク１０８からの音声を処理するものである。すなわち、たとえば防犯装置１００から防犯管理センターに送信される形式がパケット方式である場合は、パケットデータの様式に合うように処理される。
【００４９】
制御部１３３は、各部の動作を所定の制御プログラムに基づいて制御するものである。主な制御としては、たとえば移動判別部１２６により、装置本体１０１が移動中でないと判別された場合、バッテリ１３０から各部への電力供給を制限することである。
【００５０】
すなわち、本装置は移動中に絶えず防犯管理センターへ画像及び／又は音声を送信するものであり、たとえば防犯装置１００が携帯されていないときでもバッテリ１３０から各部へ電力供給が行われてしまうと、バッテリ１３０の電力消費が早められ、必要なときに防犯管理センターへ画像及び／又は音声が送信されなくなってしまうことを防止するためである。
【００５１】
また、制御部１３３による制御としては、向き判別部１２７により、装置本体１０１の向きが適切でないと判別されると、スピーカ駆動部１２４を制御し、スピーカ１０７から警告音が発せられるように制御することである。これにより、防犯装置１００の利用者に対してカメラ１０６の向きを適切にするように促すことができる。
【００５２】
また、制御部１３３による制御としては、スイッチオン検知部１２８により、防犯スイッチ１０９が操作されたことが検知されると、スピーカ駆動部１２４を制御し、スピーカ１０７から大音量のブザー音が発せられるように制御することである。なお、上述したように、防犯スイッチ１０９の代わりに、係止具１０３が装置本体１０１に対し着脱自在に取り付けられている場合は、係止具１０３が装置本体１０１から外れたとき、同様に、スピーカ１０７から大音量のブザー音が発せられるように制御することも可能である。
【００５３】
また、制御部１３３による制御としては、スイッチオン検知部１２８により、防犯スイッチ１０９の操作が検知され、スピーカ駆動部１２４を制御してスピーカ１０７から大音量のブザー音が発せられるように制御するが、さらにそのブザー音は防犯管理センター側からの停止信号を受け取らない限り停止させないように制御することである。これにより、ブザー音が防犯装置１００側での操作により停止することができないため、犯罪者に対しての抑止効果が高められる。
【００５４】
また、制御部１３３による制御としては、送受信部１２１から送信される信号に、ＧＰＳ受信部１２２から得られる現在位置の情報とメモリ１２９に記憶されている装置ＩＤとを付加するように制御することである。これにより、送受信部１２１からは、防犯装置１００が移動中である場合に、絶えず、画像及び／又は音声と、現在位置の情報と、装置ＩＤとが防犯管理センターに送信されることになる。
【００５５】
また、制御部１３３による制御としては、スイッチオン検知部１２８により、防犯スイッチ１０９の操作が検知されると、防犯スイッチ１０９の操作が有ったことを示す信号を防犯管理センター側に送信することである。これにより、防犯管理センター側では、防犯装置１００の利用者側に被害が発生したことを即座に判断することができ、防犯装置１００からの画像及び／又は音声を記憶することができる。
【００５６】
なお、画像及び／又は音声の記憶に際しては、防犯スイッチ１０９の操作が有ったことを示す信号を受け取った時点から所定時間さかのぼった時間分であってもよいし、防犯スイッチ１０９の操作が有ったことを示す信号を受け取った時点を跨いた時間分であってもよい。
【００５７】
また、防犯管理センター側では、その画像及び／又は音声を確認することで、緊急であるかどうかの確認が行えるため、緊急の場合には警察に通報することができる。また、その画像及び／又は音声が防犯管理センター側で記憶されているため、後の証拠として提出することができる。
【００５８】
また、制御部１３３による制御としては、防犯管理センター側からの音声信号を基に、スピーカ駆動部１２４を制御し、スピーカ１０７から音声が発せられるように制御することである。これにより、防犯装置１００の利用者が被害に遭遇しているときに、防犯管理センター側からの音声により犯罪者に対して警告を促すことが可能となる。
【００５９】
図４は、センター側サーバ２０１の制御系の詳細を説明するためのブロック図である。同図に示すように、制御系２１０は、送受信部２１１、画像処理部２１２、音声処理部２１３、モニター出力制御部２１４、防犯操作検知部２１５、個人情報判別部２１６、現在位置判別制御部２１７、記憶制御部２１８、停止信号発生部２１９、制御部２２０を有している。
【００６０】
送受信部２１１は、各防犯装置１００からの画像及び／又は音声、各防犯装置１００の位置情報、各防犯装置１００の装置ＩＤ、各防犯装置１００の防犯スイッチ１０９の操作が有ったことを示す信号を受け取るとともに、各防犯装置１００へ音声信号、ブザー音の停止信号を送信するものである。また、送受信部２１１は、制御部２２０の制御により、上述した父兄の図示しない携帯電話等のメールアドレスを送信先とし、たとえば親元に簡単なメッセージ（たとえば、「通学路から離れました」）を送信する。
【００６１】
画像処理部２１２は、各防犯装置１００から送信される画像をモニター２０２によって表示できる形式に処理するものである。すなわち、たとえば各防犯装置１００から送信される形式がパケット方式である場合は、そのパケットデータをモニター２０２によって表示できるようにパケット処理する。この場合、処理される画像は動画であってもよいし、静止画であってもよい。
【００６２】
音声処理部２１３は、各防犯装置１００から送信される音声をモニター２０２によって出力できる形式に処理するものである。すなわち、たとえば各防犯装置１００から送信される形式がパケット方式である場合は、そのパケットデータをモニター２０２によって出力できるようにパケット処理する。
【００６３】
モニター出力制御部２１４は、画像処理部２１２及び／又は音声処理部２１３によって処理された画像信号及び／又は音声信号に基づき、画像及び／又は音声をモニター２０２から出力させる。
【００６４】
この場合、画像処理部２１２及び／又は音声処理部２１３によって処理された画像信号及び／又は音声信号は、複数の防犯装置１００から送信されたものとなるが、それぞれの画像信号及び／又は音声信号はそれぞれの防犯装置１００の装置ＩＤによって識別され、いずれかのモニター２０２によって出力される。
【００６５】
また、複数の防犯装置１００に対してモニター２０２の数は少ないため、それぞれの防犯装置１００からの画像信号及び／又は音声信号は、たとえば数十秒間隔でモニター出力が切り替えられるようになっている。ただし、いずれかの防犯装置１００からの防犯スイッチ１０９の操作が有ったことを示す信号を受け取った場合には、後述の防犯操作検知部２１５により防犯操作が検知されることで、その信号を有する画像信号及び／又は音声信号が優先的にモニター出力されるようになっている。
【００６６】
また、この場合、後述の個人情報判別部２１６により情報記憶部２０３から装置ＩＤに対応した個人情報が得られ、その個人情報も併せてモニター出力されるようになっている。また、後述の現在位置判別制御部２１７からの位置情報も併せてモニター出力されるようになっている。
【００６７】
防犯操作検知部２１５は、防犯装置１００からの防犯スイッチ１０９の操作が有ったことを示す信号を検知するものである。個人情報判別部２１６は、防犯装置１００からの装置ＩＤを基に、情報記憶部２０３からその装置ＩＤに対応した個人情報を判別するものである。
【００６８】
現在位置判別制御部２１７は、防犯装置１００からの現在位置を示す位置情報から現在位置を判別するものである。また、現在位置判別制御部２１７は、情報記憶部２０３に記憶されている装置ＩＤに対応したルート情報と現在位置とを比較し、現在位置がそのルート情報から所定距離（たとえば１ｋｍ）外れていると判別した場合、ルート情報から外れていることを示す信号を制御部２２０に通知する。
【００６９】
これにより、制御部２２０は、記憶制御部２１８を介して情報記憶部２０３に記憶されている、上述した父兄の図示しない携帯電話等のメールアドレスを送信先とし、たとえば親元に簡単なメッセージ（たとえば、「通学路から離れました」）を通知することができる。
【００７０】
記憶制御部２１８は、防犯操作検知部２１５により、防犯装置１００からの防犯スイッチ１０９の操作が有ったことを示す信号が検知されると、制御部２２０の制御によってその防犯装置１００の装置ＩＤに対応するモニター出力制御部２１４からの画像信号及び／又は音声信号を情報記憶部２０３に記憶させる。
【００７１】
情報記憶部２０３に記憶させた画像及び／又は音声は、上述したように、後の証拠として提出することができる。また、情報記憶部２０３に記憶させた画像及び／又は音声は、上述した父兄の図示しない携帯電話等の通信端末によって取得することが可能である。停止信号発生部２１９は、防犯装置１００側のブザー音を停止させるための停止信号を発生するものである。
【００７２】
制御部２２０は、各部の動作を所定の制御プログラムに基づいて制御するものである。主な制御としては、送受信部２１１に対し、各防犯装置１００からの画像及び／又は音声、各防犯装置１００の位置情報、各防犯装置１００の装置ＩＤ、各防犯装置１００の防犯スイッチ１０９の操作が有ったことを示す信号の受信を制御するとともに、各防犯装置１００へ音声信号、ブザー音の停止信号を送信させ、さらに父兄の図示しない携帯電話等のメールアドレスを送信先とし、たとえば親元に簡単なメッセージ（たとえば、「通学路から離れました」）を送信させることである。
【００７３】
また、制御部２２０の制御としては、防犯操作検知部２１５により、防犯装置１００からの防犯スイッチ１０９の操作が有ったことを示す信号が検知されると、記憶制御部２１８に対し、その防犯装置１００の装置ＩＤに対応するモニター出力制御部２１４からの画像信号及び／又は音声信号を情報記憶部２０３に記憶させることである。
【００７４】
また、制御部２２０の制御としては、現在位置判別制御部２１７により、現在位置が情報記憶部２０３に記憶されているルート情報から所定距離（たとえば１ｋｍ）外れていると判別された場合、記憶制御部２１８を介して情報記憶部２０３に記憶されている、上述した父兄の図示しない携帯電話等のメールアドレスを送信先とし、たとえば親元に簡単なメッセージ（たとえば、「通学路から離れました」）を通知することである。
【００７５】
次に、防犯システムによる防犯方法について説明する。なお、以下の説明においては、防犯装置１００のカメラ１０６によって撮影された画像（動画又は静止画）と、マイク１０８からの音声とが同時に防犯管理センター側に送信されるものとする。また、防犯装置１００は、児童が携帯するものとする。また、防犯管理センターシステム２００の情報記憶部２０３には、上述した装置ＩＤに対応する児童のルート情報と、父兄の図示しない携帯電話等のメールアドレスが既に記憶されているものとする。
【００７６】
まず、図５に示すように、防犯装置１００の移動判別部１２６により、装置本体１０１が移動中であるか否かが判別され（ステップＳ１）、装置本体１０１が移動中でないと判別された場合、制御部１３３によりバッテリ１３０から各部への電力供給が制限される（ステップＳ２）。これにより、防犯装置１００が携帯されていないとき、バッテリ１３０の電力消費が抑えられる。
【００７７】
これに対し、移動判別部１２６により、装置本体１０１が移動中であると判別されると、制御部１３３によりバッテリ１３０から各部への電力供給が開始される（ステップＳ３）。次いで、向き判別部１２７により、装置本体１０１の向きが適切か否かが判別され（ステップＳ４）、向きが適切でないと判別された場合、制御部１３３によりスピーカ駆動部１２４が制御され、スピーカ１０７から警告音が発せられる（ステップＳ５）。
【００７８】
この場合の警告音は、ブザー音のように大音量ではなく利用者が聞き取れる程度の音量であればよい。また、警告音は電子音のようなものであってもよいが、これ以外にメロディや音声であってもよい。
【００７９】
これに対し、向きが適切であると判別された場合、制御部１３３によりカメラ駆動部１２３が制御され、カメラ１０６によって撮影された画像が画像処理部１３１に出力される。このとき、画像処理部１３１により、防犯管理センターに送信される形式がパケット方式である場合は、パケットデータの様式に合うように画像処理が行われる（ステップＳ６）。
【００８０】
この場合、処理される画像は上述したように、動画であってもよいし、静止画であってもよい。ただし静止画の場合は、周囲の状況変化が分かるように、数秒毎の間欠画像であることが好ましい。
【００８１】
また、制御部１３３によりマイク駆動部１２５が制御され、マイク１０８からの音声が音声処理部１３２に出力される。このとき、音声処理部１３２により、防犯管理センターに送信される形式がパケット方式である場合は、パケットデータの様式に合うように音声処理が行われる（ステップＳ７）。
【００８２】
また、制御部１３３により、画像処理部１３１によって処理された画像データと、音声処理部１３２によって処理された音声データとに、ＧＰＳ受信部１２２から得られる現在位置の情報と、メモリ１２９に記憶されている装置ＩＤとが付加され（ステップＳ８）、送受信部１２１から送受信アンテナ１０４を介して送信される（ステップＳ９）。
【００８３】
以上のような処理は、移動判別部１２６により、装置本体１０１が移動中であると判別されているときに継続されるため、送受信部１２１からは、絶えず、画像及び音声と、現在位置の情報と、装置ＩＤとが防犯管理センターに送信されることになる。
【００８４】
一方、防犯管理センター側では、図６に示すように、送受信部２１１によって防犯装置１００からの画像及び／又は音声、防犯装置１００の位置情報、防犯装置１００の装置ＩＤ等の防犯装置１００側の情報が受信される（ステップＳ１０）。
【００８５】
このとき、画像処理部２１２により、防犯装置１００から送信された画像がモニター２０２によって表示できる形式に処理され（ステップＳ１１）、音声処理部２１３により、防犯装置１００から送信される音声がモニター２０２によって出力できる形式に処理される（ステップＳ１２）。そして、これら処理された画像及び音声がモニター２０２から出力される（ステップＳ１３）。
【００８６】
この場合、画像処理部２１２及び／又は音声処理部２１３によって処理された画像及び／又は音声は、複数の防犯装置１００から送信されたものとなるが、上述したように、それぞれの画像及び／又は音声はそれぞれの防犯装置１００の装置ＩＤによって識別され、いずれかのモニター２０２によって出力される。
【００８７】
また、上述したように、複数の防犯装置１００に対してモニター２０２の数は少ないため、それぞれの防犯装置１００からの画像及び／又は音声は、たとえば数十秒間隔でモニター出力が切り替えられるようになっている。これにより、防犯管理センター側では複数のモニター２０２からの出力を監視することで、児童の現在の状況を把握することができる。
【００８８】
また、防犯管理センター側では、現在位置判別制御部２１７により、防犯装置１００からの現在位置を示す位置情報から現在位置が判別され、さらに情報記憶部２０３に記憶されている装置ＩＤに対応したルート情報とその現在位置とが比較され、現在位置がそのルート情報から所定距離（たとえば１ｋｍ）外れているか否かが判別される（ステップＳ１４）。ここで、現在位置がそのルート情報から外れていると判別されると、その外れていることを示す信号が制御部２２０に通知される。
【００８９】
このとき、制御部２２０により、記憶制御部２１８を介して情報記憶部２０３に記憶されている、上述した父兄の図示しない携帯電話等のメールアドレスを送信先とし、たとえば親元に簡単なメッセージ（たとえば、「通学路から離れました」）が通知される（ステップＳ１５）。父兄がこのような通知を受け取ることにより、児童が図示しない携帯電話を携帯している場合には、直接、児童の携帯電話を呼び出すことができ、児童の安全を確認することが可能となる。
【００９０】
一方、防犯装置１００側では、スイッチオン検知部１２８により、防犯スイッチ１０９が操作されたことが検知されると（ステップＳ１６）、制御部１３３により、スピーカ駆動部１２４が制御され、スピーカ１０７から大音量のブザー音が発せられる（ステップＳ１７）。
【００９１】
なお、上述したように、防犯スイッチ１０９の代わりに、係止具１０３が装置本体１０１に対し着脱自在に取り付けられている場合は、係止具１０３が装置本体１０１から外れたとき、同様に、スピーカ１０７から大音量のブザー音が発せられるように制御される。
【００９２】
また、スイッチオン検知部１２８により、防犯スイッチ１０９が操作されたことが検知されると、制御部１３３により、防犯スイッチ１０９の操作が有ったことを示す信号が防犯管理センター側に送信される（ステップＳ１８）。
【００９３】
このとき、防犯管理センター側では、図７に示すように、いずれかの防犯装置１００からの防犯スイッチ１０９の操作が有ったことを示す信号を受け取った場合、防犯操作検知部２１５により防犯操作が検知されることで（ステップＳ１９）、その信号を有する画像及び／又は音声が優先的にモニター出力される（ステップＳ２０）。
【００９４】
この場合、個人情報判別部２１６により情報記憶部２０３から装置ＩＤに対応した個人情報が得られ、その個人情報も併せてモニター出力される。また、現在位置判別制御部２１７からの位置情報も併せてモニター出力される。これにより、防犯管理センター側では、防犯装置１００の利用者である児童側に被害が発生したことを即座に判断することができ、併せて、児童の氏名や年齢等の個人情報や現在位置を即座に確認することができる。
【００９５】
このとき、防犯操作検知部２１５による信号の検知に応じて制御部２２０により記憶制御部２１８が制御され、防犯装置１００の装置ＩＤに対応するモニター出力制御部２１４からの画像及び／又は音声が情報記憶部２０３に記憶される（ステップＳ２１）。
【００９６】
また、防犯管理センター側では、上述したように、その画像及び／又は音声を確認することで、緊急であるかどうかの確認が行えるため、緊急の場合には警察に通報することができる。また、上述したように、その画像及び／又は音声が情報記憶部２０３に記憶されているため、後の証拠として提出することができる。
【００９７】
なお、画像及び／又は音声の記憶に際しては、上述したように、防犯スイッチ１０９の操作が有ったことを示す信号を受け取った時点から所定時間さかのぼった時間分であってもよいし、防犯スイッチ１０９の操作が有ったことを示す信号を受け取った時点を跨いた時間分であってもよい。
【００９８】
この間、スピーカ１０７から大音量のブザー音が鳴り続け、防犯装置１００側ではそのブザー音を停止することができないが、防犯装置１００からの現在の画像又は音声を確認して児童の安全が確認された場合、あるいは所定時間経過後に、停止信号発生部２１９によって発生された停止信号が防犯装置１００側に送信される（ステップＳ２２）。
【００９９】
防犯装置１００側では、防犯管理センター側からの停止信号が受け取られると（ステップＳ２３）、スピーカ駆動部１２４が制御されてブザー音が停止される（ステップＳ２４）。
【０１００】
このように、本実施形態では、防犯装置１００側で、画像取得手段としてのカメラ１０６及び音声取得手段としてのマイク１０８により、周囲の画像と周囲の音声とが取り込まれると、制御手段としての制御部１３３により、取り込まれた画像及び／又は音声が防犯管理センターシステム２００に送信されるように制御されるとともに、操作手段としての防犯スイッチ１０９によりブザー音を発生させる操作が行われると、制御部１３３により、音発生手段としてのスピーカ１０７からブザー音が発生される。
【０１０１】
一方、防犯管理センターシステム２００側では、センター側サーバ２０１が防犯装置１００からの少なくとも画像及び／又は音声のデータを受け取ると、その画像及び／又は音声がモニター手段としてのモニター２０２によってモニター出力され、ブザー音を発生させる際の操作が有ったことを示す信号に基づき、画像及び／又は音声がシステム記憶手段としての情報記憶部２０３に記憶されるようにした。
【０１０２】
その結果、防犯装置１００側ではブザー音による防犯効果が得られ、防犯管理センターシステム２００側では画像及び／又は音声のモニター出力から非常事態を的確に判断することができ、さらに記憶させた画像及び／又は音声を警察への情報提供としても用いることで、被害者に加え犯人に関わる情報を提供することができる。
【０１０３】
また、本実施例では、防犯装置１００の制御部１３３がＧＰＳ信号受信手段としてのＧＰＳアンテナ１０５からのＧＰＳ信号を受け取ると、防犯管理センターシステム２００に送信される画像及び／又は音声に、ＧＰＳ信号によって得られる現在位置の情報を付加するようにし、防犯管理センターシステム２００側では現在位置判別制御手段としての現在位置判別制御部２１７によって現在位置の情報から現在位置が判別され、防犯操作検知手段としての防犯操作検知部２１５によって防犯操作が検知されると、システム制御手段としての制御部２２０によって画像及び／又は音声と判別された現在位置とが優先的にモニター出力されるようにしたので、非常事態を的確に判断することに併せて、非常事態が発生した場所を即座に判断することができる。
【０１０４】
また、本実施例では、防犯装置１００の制御部１３３が防犯管理センターシステム２００に送信される画像及び／又は音声に、記憶手段としてのメモリ１２９に記憶されている装置ＩＤを付加するようにし、防犯管理センターシステム２００側では、個人情報判別手段としての個人情報判別部２１６によって情報記憶部２０３に記憶されている個人情報が装置ＩＤを基に判別され、防犯操作の検知に応じてその個人情報が画像及び／又は音声と併せてモニター出力されるようにしたので、非常事態を的確に判断することに併せて、非常事態に遭遇した利用者を即座に特定することができる。
【０１０５】
また、本実施例では、防犯管理センターシステム２００側の情報記憶部２０３に防犯装置１００を利用する利用者（たとえば児童）のルート情報と利用者に関わる人物（たとえば父兄）の連絡先情報（たとえばメールアドレス）とが記憶され、現在位置判別制御部２１７が現在位置の情報から判別した現在位置とルート情報とを比較し、現在位置がそのルート情報から所定距離外れていると判断すると、制御部２２０がたとえばメールアドレスを送信先とし、たとえば親元に簡単なメッセージ（たとえば、「通学路から離れました」）が通知されるようにした。
【０１０６】
これにより、父兄がこのような通知を受け取ることによって、児童が図示しない携帯電話を携帯している場合には、直接、児童の携帯電話を呼び出すことができ、児童の安全を確認することが可能となる。
【０１０７】
また、本実施例では、センター側サーバ２０１の停止信号発生手段としての停止信号発生部２１９によってブザー音を停止させるための停止信号が発生されると、防犯装置１００の制御部１３３がその停止信号に基づき、スピーカ１０７からのブザー音の発生を停止させるように制御するので、防犯装置１００側での操作によりブザー音を停止することができないため、犯罪者に対しての抑止効果が高められる。
【図面の簡単な説明】
【０１０８】
【図１】本発明の防犯システムの一実施例に係る概要を説明するための図である。
【図２】図１の防犯装置を説明するための図である。
【図３】図１の防犯装置の制御系の詳細を説明するためのブロック図である。
【図４】図１のセンター側サーバの制御系の詳細を説明するためのブロック図である。
【図５】図１の防犯システムによる防犯方法について説明するためのフローチャートである。
【図６】図１の防犯システムによる防犯方法について説明するためのフローチャートである。
【図７】図１の防犯システムによる防犯方法について説明するためのフローチャートである。
【符号の説明】
【０１０９】
１００  防犯装置
１０１  装置本体
１０２  紐
１０３  係止具
１０４  送受信アンテナ
１０５  ＧＰＳアンテナ（ＧＰＳ信号受信手段）
１０６  カメラ（画像取得手段）
１０７  スピーカ（音発生手段）
１０８  マイク（音声取得手段）
１０９  防犯スイッチ（操作手段）
１１０  移動検知センサ（移動検知手段）
１１１  向き検知センサ（向き検知手段）
１２０  制御系
１２１  送受信部
１２２  ＧＰＳ受信部
１２３  カメラ駆動部
１２４  スピーカ駆動部
１２５  マイク駆動部
１２６  移動判別部
１２７  向き判別部
１２８  スイッチオン検知部
１２９  メモリ（記憶手段）
１３０  バッテリ
１３１  画像処理部
１３２  音声処理部
１３３  制御部（制御手段）
２０１  センター側サーバ
２０２  センター内オペレータ端末
２０２  モニター（モニター手段）
２０３  情報記憶部（システム記憶手段）
２１１  送受信部
２１２  画像処理部
２１３  音声処理部
２１４  モニター出力制御部
２１５  防犯操作検知部（防犯操作検知手段）
２１６  個人情報判別部（個人情報判別手段）
２１７  現在位置判別制御部（現在位置判別制御手段）
２１８  記憶制御部
２１９  停止信号発生部（停止信号発生手段）
２２０  制御部（システム制御手段）
３００  ネットワーク
【図１】
2007188406.tif 000003
【図２】
2007188406.tif 000004
【図３】
2007188406.tif 000005
【図４】
2007188406.tif 000006
【図５】
2007188406.tif 000007
【図６】
2007188406.tif 000008
【図７】
2007188406.tif 000009